【手続補正書】
【提出日】平成20年2月27日(2008.2.27)
【手続補正１】
【補正対象書類名】明細書
【補正対象項目名】特許請求の範囲
【補正方法】変更
【補正の内容】
【特許請求の範囲】
【請求項１】  遊技媒体を用いて遊技者が所定の遊技を行うことが可能であり、所定の払出条件が成立したことにもとづいて遊技媒体を遊技者に払い出す遊技機であって、
遊技の進行を制御する遊技制御手段と、
遊技媒体の払い出しを行う払出手段と、
前記払出手段を制御する払出制御手段と、
前記払出手段による遊技媒体の払い出しを検出する払出検出手段と、
人為的操作に応じてエラー解除信号を出力するエラー解除操作手段とを備え、
前記遊技制御手段は、
前記所定の払出条件の成立にもとづいて払い出すべき遊技媒体の総数を特定可能な遊技媒体数データを記憶するとともに、遊技機への電力供給が停止したときに記憶内容を少なくとも所定期間保存することが可能な遊技媒体数記憶手段と、
前記遊技媒体数データにもとづいて前記払出制御手段に対して所定数の遊技媒体の払出数を特定可能な払出指令信号を送信する払出指令信号送信手段と、
前記払出指令信号送信手段が払出指令信号を送信した後に所定の条件が成立すると前記遊技媒体数データから前記払出指令信号で特定された払出数に対応する値を減算する減算処理を行う遊技媒体数データ減算手段とを含み、
前記払出制御手段は、
前記払出手段を制御して、前記払出指令信号送信手段からの払出指令信号で特定された払出数の遊技媒体を払い出させる払出処理を実行する遊技媒体払出制御手段と、
前記遊技制御手段に対して遊技媒体の払出処理中であることを示す遊技媒体払出処理中信号を出力する払出処理中信号出力手段と、
前記払出処理によって払い出される遊技媒体の払出予定数のうち未だ払い出されていない遊技媒体数を示す未払出数データを記憶するとともに、前記払出検出手段の検出出力にもとづいて前記未払出数データを減算する減算処理を行う未払出数記憶手段と、
所定条件の成立により払い出しに関わる制御状態をエラー状態に移行させるエラー状態設定手段と、
前記エラー状態において前記エラー解除操作手段からエラー解除信号が出力されたことにもとづいて前記エラー状態を解除するエラー状態解除手段とを含み、
前記払出指令信号送信手段は、前記遊技媒体数データ減算手段による減算処理の後に前記遊技媒体数データが払い出すべき遊技媒体があることを示すデータであったときには、前記払出制御手段によって前記払出指令信号で特定される払出数の遊技媒体の払出処理が終了した後に次の払出指令信号を出力し、
前記未払出数記憶手段は、前記エラー状態設定手段によって前記エラー状態に移行されているときであっても、前記払出検出手段からの検出出力があると前記未払出数データの減算処理を行い、
前記払出制御手段を搭載した払出制御基板は、前記遊技媒体払出処理中信号の出力中に前記払出検出手段からの検出出力があったことを条件として、遊技媒体の払出数を特定可能とするための遊技媒体払出信号を作成する信号作成部と、前記遊技媒体払出信号を遊技機の外部に出力するための信号出力経路とを備えた
ことを特徴とする遊技機。
【請求項２】  未払出数記憶手段は、払出手段が遊技媒体を払い出していないときであっても、払出検出手段からの検出出力があると未払出数データの減算処理を行う
請求項１記載の遊技機。
【請求項３】  払出制御手段は、
所定の払出条件が成立したことにより払出手段に景品としての遊技媒体を払い出させる景品遊技媒体払出制御手段と、
貸出要求にもとづく払出条件が成立したことにより払出手段に貸し遊技媒体を払い出させる貸し遊技媒体払出制御手段とを含み、
前記景品としての遊技媒体の検出と、前記貸し遊技媒体の検出とが同一の払出検出手段により行われる
請求項１または請求項２記載の遊技機。
【請求項４】  払出制御手段は、未払出数記憶手段の未払出数データが未だ払い出されていない遊技媒体数がないことを示すデータであることにもとづいて、払出指令信号送信手段からの払出指令信号で特定された払出数の遊技媒体の払い出しが完了したことを示す払出完了信号を遊技制御手段に送信する払出完了信号送信手段を含み、
遊技制御手段は、前記払出完了信号を受信したことにもとづいて、新たな払出指令信号を送信可能になる
請求項１から請求項３のうちのいずれかに記載の遊技機。
【請求項５】  払出制御手段は、同一の信号における出力状態を切り替えることによって払出完了信号と遊技媒体払出処理中信号とを区別して出力する
請求項４記載の遊技機。
【請求項６】  払出制御手段は、
払出手段の動作状態を監視する駆動状態監視手段と、
前記駆動状態監視手段が前記払出手段の動作不良を検出したときに前記払出手段の駆動を停止させる駆動停止手段とを含む
請求項１から請求項５のうちのいずれかに記載の遊技機。
【請求項７】  駆動停止手段は、エラー解除操作手段からエラー解除信号が出力されたときに駆動停止の状態を解除する
請求項６記載の遊技機。
【請求項８】  払出制御手段は、記録媒体に記録されている情報により特定される価値を遊技機での遊技に使用できる遊技使用価値に変換するための処理を行う記録媒体処理装置と通信可能に接続され、前記遊技使用価値にもとづく遊技媒体を払出手段に払い出させる機能を有し、
前記払出制御手段と前記記録媒体処理装置との間の通信は、前記払出制御手段が設けられる払出制御基板とは異なる中継基板を介して行われる
請求項１から請求項７のうちのいずれかに記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技媒体を用いて遊技者が所定の遊技を行うことが可能であり、所定の払出条件が成立した（例えば遊技球が入賞領域に入賞した）ことにもとづいて遊技媒体を遊技者に払い出す遊技機であって、遊技の進行を制御する遊技制御手段（例えばＣＰＵ５６等）と、遊技媒体の払い出しを行う払出手段（例えば球払出装置９７）と、払出手段を制御する払出制御手段（例えば払出制御用ＣＰＵ３７１等）と、払出手段による遊技媒体の払い出しを検出する払出検出手段（例えば払出カウントスイッチ３０１）と、人為的操作に応じてエラー解除信号（例えば操作に応じた操作信号）を出力するエラー解除操作手段（例えばエラー解除スイッチ３７５）とを備え、遊技制御手段は、所定の払出条件の成立にもとづいて払い出すべき遊技媒体の総数を特定可能な遊技媒体数データを記憶するとともに、遊技機への電力供給が停止したときに記憶内容を少なくとも所定期間保存することが可能な遊技媒体数記憶手段（例えば電源バックアップされたＲＡＭ５５における総賞球数格納バッファ）と、遊技媒体数データにもとづいて払出制御手段に対して所定数の遊技媒体の払出数を特定可能な払出指令信号（例えば払出個数信号）を送信する払出指令信号送信手段（例えば遊技制御手段におけるステップＳ２３２の賞球送信処理を実行する部分）と、払出指令信号送信手段が払出指令信号を送信した後に所定の条件（例えば払出ＢＵＳＹ信号がオン状態になったこと）が成立すると遊技媒体数データから払出指令信号で特定された払出数に対応する値を減算する減算処理を行う遊技媒体数データ減算手段（例えば遊技制御手段におけるステップＳ２３３の賞球待ち処理２を実行する部分）とを含み、払出制御手段は、払出手段を制御して、払出指令信号送信手段からの払出指令信号で特定された払出数の遊技媒体を払い出させる払出処理を実行する遊技媒体払出制御手段（例えば払出制御手段におけるステップＳ５４６およびステップＳ７５６の払出制御処理を実行する部分）と、遊技制御手段に対して遊技媒体の払出処理中であることを示す遊技媒体払出処理中信号（例えば払出ＢＵＳＹ信号）を出力する払出処理中信号出力手段（例えば払出制御手段におけるステップＳ５３１，Ｓ５３２の主制御通信通常処理および主制御通信中処理を実行する部分）と、払出処理によって払い出される遊技媒体の払出予定数のうち未だ払い出されていない遊技媒体数を示す未払出数データ（例えば未払出個数）を記憶するとともに、払出手段によって遊技媒体が払い出されているときに払出検出手段の検出出力にもとづいて未払出数データを減算する減算処理を行う未払出数記憶手段（例えば払出制御手段におけるステップＳ５４６，Ｓ６０１，Ｓ６０２を実行する部分）と、所定条件の成立（例えば図５１に示すいずれかのエラー原因の発生）により払い出しに関わる制御状態をエラー状態（例えばエラーフラグのエラービットがセットされている状態）に移行させるエラー状態設定手段（例えば払出制御手段におけるステップＳ５６３，Ｓ５６４，Ｓ６６１，Ｓ６６６，Ｓ６９２，Ｓ６９３を実行する部分）と、エラー状態においてエラー解除操作手段からエラー解除信号が出力されたことにもとづいてエラー状態を解除するエラー状態解除手段（例えば払出制御手段におけるステップＳ６７１〜Ｓ６７７を実行する部分）とを含み、払出指令信号送信手段は、遊技媒体数データ減算手段による減算処理の後に遊技媒体数データが払い出すべき遊技媒体があることを示すデータであったときには、払出制御手段によって払出指令信号で特定される払出数の遊技媒体の払出処理が終了した後に次の払出指令信号を出力し（例えばステップＳ２６５の処理の実行後に、ステップＳ２７１で払出ＢＵＳＹ信号がオフ状態になったことを確認してから、ステップＳ２４７で総賞球数格納バッファの内容が０でないことを条件にステップＳ２５４で払出個数信号を出力し）、未払出数記憶手段は、エラー状態設定手段によってエラー状態に移行されているときであっても、払出検出手段からの検出出力があると未払出数データの減算処理を行い、払出制御手段を搭載した払出制御基板は、遊技媒体払出処理中信号の出力中に払出検出手段からの検出出力があったことを条件として、遊技媒体の払出数を特定可能とするための遊技媒体払出信号（例えば賞球カウント信号）を作成する信号作成部（例えばＡＮＤ回路３７６）と、遊技媒体払出信号を遊技機の外部に出力するための信号出力経路と（例えばＡＮＤ回路３７６の出力を外部に出力するための配線パターン）を備えたことを特徴とする。
【手続補正３】
【補正対象書類名】明細書
【補正対象項目名】００１３
【補正方法】変更
【補正の内容】
【００１３】
払出制御手段は、未払出数記憶手段の未払出数データが未だ払い出されていない遊技媒体数がないことを示すデータであること（例えば未払出個数カウンタの値が０になること）にもとづいて、払出指令信号送信手段からの払出指令信号で特定された払出数の遊技媒体の払い出しが完了したことを示す払出完了信号（例えば払出ＢＵＳＹ信号のオフ状態）を遊技制御手段に送信する払出完了信号送信手段（例えば払出制御手段におけるステップＳ５５３，Ｓ５５４を実行する部分）を含み、遊技制御手段は、払出完了信号を受信したことにもとづいて、新たな払出指令信号を送信可能になる（例えばステップＳ２７１で払出ＢＵＳＹ信号のオフを確認してから賞球ＲＥＱ信号をオン状態にしうる図３０に示す賞球送信処理に戻る）ように構成されていてもよい。
【手続補正４】
【補正対象書類名】明細書
【補正対象項目名】０３１５
【補正方法】変更
【補正の内容】
【０３１５】
【発明の効果】
以上のように、請求項１記載の発明では、払出制御手段が、払出手段を制御して、払出指令信号送信手段からの払出指令信号で特定された払出数の遊技媒体を払い出させる払出処理を実行する遊技媒体払出制御手段と、遊技制御手段に対して遊技媒体の払出処理中であることを示す遊技媒体払出処理中信号を出力する払出処理中信号出力手段と、払出処理によって払い出される遊技媒体の払出予定数のうち未だ払い出されていない遊技媒体数を示す未払出数データを記憶するとともに、払出検出手段の検出出力にもとづいて未払出数データを減算する減算処理を行う未払出数記憶手段と、所定条件の成立により払い出しに関わる制御状態をエラー状態に移行させるエラー状態設定手段と、エラー状態においてエラー解除操作手段からエラー解除信号が出力されたことにもとづいてエラー状態を解除するエラー状態解除手段とを含み、払出指令信号送信手段が、遊技媒体数データ減算手段による減算処理の後に遊技媒体数データが払い出すべき遊技媒体があることを示すデータであったときには、払出制御手段によって払出指令信号で特定される払出数の遊技媒体の払出処理が終了した後に次の払出指令信号を出力し、未払出数記憶手段が、エラー状態設定手段によってエラー状態に移行されているときであっても、払出検出手段からの検出出力があると未払出数データの減算処理を行い、払出制御基板には、遊技媒体払出処理中信号の出力中に払出検出手段からの検出出力があったことを条件として、遊技媒体の払出数を特定可能とするための遊技媒体払出信号を作成する信号作成部と、遊技媒体払出信号を遊技機の外部に出力するための信号出力経路とが設けられているので、遊技媒体の未払出数を遊技制御手段において一元管理できるとともに、未払出数を確実に管理することができる。その結果、払出制御手段の構成が簡略化され、遊技機のコストが低減する。また、遊技媒体の払出検出を行う払出検出手段を用いた簡単なハードウェア構成で遊技媒体払出信号を作成することができる。さらに、払い出しに関わるエラーが発生しても、実際に払い出された遊技媒体の数を正確に管理することができる。
【手続補正５】
【補正対象書類名】明細書
【補正対象項目名】０３１８
【補正方法】変更
【補正の内容】
【０３１８】
請求項４記載の発明では、払出制御手段が、未払出数記憶手段の未払出数データが未だ払い出されていない遊技媒体数がないことを示すデータあることにもとづいて、払出指令信号送信手段からの払出指令信号で特定された払出数の遊技媒体の払い出しが完了したことを示す払出完了信号を遊技制御手段に送信する払出完了信号送信手段を含み、遊技制御手段は、払出完了信号を受信したことにもとづいて、新たな払出指令信号を送信可能になるように構成されているので、遊技媒体の払い出しが区切り毎に実行されることになり、遊技媒体の払い出しの信頼性が向上する。